(57)【特許請求の範囲】
【請求項１】
複数の副搬送路から入れ込まれる薄片を主搬送路に合流させて搬送する合流搬送部分と、前記合流搬送部分から入れ込まれる前記薄片を前記主搬送路に沿って搬送する主搬送部分とを有する薄片搬送装置であって、
上流側の前記主搬送部分から前記合流搬送部分に入れ込まれた前記薄片を前記主搬送路の方向に沿って下流側の前記主搬送部分に搬送する第１の搬送部分を前記合流搬送部分に配置する第１の搬送部分配置手段と、
前記副搬送路から前記合流搬送部分に入れ込まれた前記薄片を前記第１の搬送部分と平行して搬送する第２の搬送部分を前記合流搬送部分に配置する第２の搬送部分配置手段と、
前記薄片を前記第２の搬送部分の末端から前記下流側の前記主搬送部分に搬送する第３の搬送部分を前記合流搬送部分に配置する第３の搬送部分配置手段と、
前記第２の搬送部分に対する前記副搬送路の位置を前記第２の搬送部分の範囲内で移動することにより、前記副搬送路の位置の変化に対応させる副搬送路位置対応手段とを具備し、
前記第１の搬送部分を、前記薄片の両面を案内するための前記主搬送路の方向に延びる対向する平面をもつ第１の案内面と、前記第１の案内面の途中に配置されて前記薄片の両面を挟みながら搬送する第１の対向ローラとで構成し、
前記第２の搬送部分を、前記主搬送路と平行に掛け渡した無端ベルトにおける前記副搬送路側のベルト外面を前記下流側に向けて走行させると共に、当該ベルト外面と対向する箇所を当該ベルト外面と平行な第２の案内面をもつ覆板で覆って構成し、
前記第３の搬送部分を、前記薄片の両面を案内するための対向する曲面をもつ第３の案内面と、前記第３の案内面の途中箇所に配置されて前記薄片の片面側に接して回転する突起付きローラとで構成し、
前記副搬送部分から前記第２の搬送部分に前記薄片を取り込む取込位置に前記薄片の両面を挟みながら搬送する第２の対向ローラを配置し、
前記取込位置において前記第２の対向ローラを保持する枠体を、前記合流搬送部分の機構部分を保持している保持板とは別体に構成しておき、当該保持板への前記枠体の取付位置を、当該保持板の前記副搬送路側の縁に沿って前記第２の搬送部分の範囲内で移動可能とするように、前記副搬送路位置対応手段を構成したことを特徴とする薄片搬送装置。
【請求項２】
前記第２の対向ローラの一方を、前記合流搬送部分に配置した凸字状ベルト掛け機構の突出点側のプーリによって駆動するとともに、前記突出点側のプーリの位置を前記第２の搬送部分と平行に移動することにより、前記副搬送路の位置の変化に対応させるように構成したことを特徴とする請求項１記載の薄片搬送装置。
【請求項３】
前記第１の対向ローラの一方を、前記無端ベルトにおける前記第１の搬送部分側を走行している戻り側ベルト部分で駆動するように構成した請求項１または２記載の薄片搬送装置。
【請求項４】
請求項１から請求項３のいずれかに記載の薄片搬送装置を具備することを特徴とするパチンコ台島装置。
【発明の詳細な説明】
【０００１】
【発明の属する技術分野】
この発明は、複数の入口から入れ込まれた紙幣のような薄片を所定の経路方向に搬送する薄片搬送装置ならびに、その利用装置、例えば、複数台のパチンコ遊技機とその遊技球を貸付対価として入れ込まれた紙幣などを搬送する薄片搬送装置を設けたパチンコ台島装置などに関するものである。
【０００２】
【従来の技術】
パチンコ遊技機、または、パチンコ遊技機のゲート部分に跳ね返し機能やスロットマシン機能を設けたパチンコ・スロット遊技機などの遊技機（この発明では、これらの遊技機を総称して、パチンコ台という）を、図９のように複数台配置して、１つのブロック状に構成したものをパチンコ台島装置５００という、このパチンコ台島装置５００は、パチンコ店の内部において、あたかも複数の「島」を配置したように見えるので、通称を「島」とも呼ばれている。
【０００３】
なお、以下の図において、同一符号で示す部分は、いずれかの図において説明する同一符号の部分と同一の機能をもつ部分である。また、図中のごく太い線の部分は、その部分の端面または断面を略して画いた部分である。
【０００４】
そして、図９のように、パチンコ台の遊技に使用する遊技球の貸付対価として入れ込まれた紙幣、伝票、カード類などの薄片１００を搬送するための薄片搬送装置３００をパチンコ台島装置５００に組み付けた構成が周知である。
【０００５】
図９において、パチンコ台島装置５００には、複数台のパチンコ台Ｂを前列側と後列側とに分けて配置するとともに、パチンコ台Ｂ間の所要箇所に、パチンコ台Ｂに使用する遊技球、つまり、パチンコ玉を貸付けるための球貸装置（装置全体は図示せず）に入れ込まれた薄片１００を主搬送路Ｍにための副搬送路Ｓの部分を１つのブロック状に構成した副搬送部分Ｃを配置してある。なお、この発明において、上流側または下流側とは主搬送路Ｍにおける薄片１００の流れにおける上流側または下流側をいう。
【０００６】
また、前列側のパチンコ台Ｂと後列側のパチンコ台Ｂとの間の空間部分に主搬送路Ｍを構成する１つの主搬送路部分３００Ａを配置してあり、副搬送部分Ｃからの薄片１００を主搬送路部分３００Ａにより搬送して、例えば、主搬送路Ｍの終端に設けた収納箱１１０に薄片１００を収納する。
【０００７】
ここで、前列側と、後列側との区別は、構成を分かり易く説明するためのものであって、店内の配置などに関連づける意味のものではない。また、パチンコ台の列を前列側または後列側のみで構成したものも周知である。なお、この発明において、前側と後側とは、構成を分かり易くするためのものであって、装置が配置される状態との関係を言うものではない。
【０００８】
そして、パチンコ台Ｂの大きさなどの異なりに対する対応や、現場での薄片搬送装置３００の組み付けの容易化などのために、図１０〜図１４のように、主搬送路Ｍと副搬送路Ｓの合流箇所をブロック状にユニット化して構成した合流搬送部分２とし、各合流搬送部分２の間に配置される主搬送路Ｍの箇所をブロック状にユニット化して構成した主搬送部分４とに分けて配置することにより、主搬送部分４の長さＬ３のみを変更するだけで、各副搬送路Ｓの間の距離Ｌ１の変化に対応し得るようにした構成が周知である。なお、長さＬ２は副搬送部分Ｃの間の長さ、例えば、パチンコ台Ｂの長さである。
【０００９】
さらに、具体的な細部の構成は、例えば、図１０〜図１３のように、副搬送部分Ｃにおける搬送構成を、ベルトＣ３ａ・Ｃ３ｂのように、対向して配置した同一速度で送行する２つの無端状のベルトの間に薄片１００を挟み込んで搬送する機構（この発明において、対向ベルト搬送機構という）によって構成し、また、主搬送部分４における搬送構成も同様にベルト４５Ａ・４５Ｂによる対向ベルト搬送機構によって構成してある。
【００１０】
主搬送部分の対向ベルト搬送機構４５Ｂ・４５Ｂの駆動構成は、図１３のような歯車機構によって駆動されており、合流搬送部分２の底部側の保持板２ｚに配置した駆動モータ２６により歯車２６ａを介して回転させられる歯車２９〜２９ｄと連動する２つの歯車４６ａ・４６ｂの軸に設けた各駆動側プーリ４３Ａ・４３Ｂによってベルト４５Ａ・４５Ｂを駆動している。
【００１１】
そして、対向ベルト搬送機構４５Ａ・４５Ｂにより従動される従動側プーリ４４Ａ・４４Ｂを次順の合流搬送部分２に近接した端部の位置に配置することにより、次順の合流搬送部分４に入れ込むようにしてある。なお、ベルト４５Ａ・４５Ｂとの対向部分４２とベルトＣ３ａ・Ｃ３ｂの対向部分は、薄片１００が入り込む程度のごく僅かの隙間を設けるか、または、殆ど接触する状態になっている。
【００１２】
また、副搬送部分Ｃの対向ベルト搬送機構Ｃ３ａ・Ｃ３ｂの駆動構成は、これらのベルトを掛け渡したプーリＣ１ａ・Ｃ１ｂまたはプーリＣ２ａ・Ｃ２ｂを副搬送部分Ｃの内部に設けた上記の球貸装置（図示せず）の駆動モータ（図示せず）によって駆動している。
【００１３】
副搬送部分Ｃの対向ベルト搬送機構Ｃ３ａ・Ｃ３ｂは、薄片入口Ｃ１に設けた案内片Ｃ１Ａと、薄片１００を送出するための薄片導出口Ｃ２の部分を残して、適宜の保護覆Ｃ３で囲んであり、また、主搬送部分４の対向ベルト搬送機構４５Ａ・４５Ｂは、合流搬送部分２から送り込まれる薄片１００を取り込む側の端部に設けた案内片５９Ａと、搬送した薄片１００を次順の合流搬送部分２に送り込む側の端部に設けた案内片５９Ｂとの部分を残して、適宜の保護覆４Ａで囲んである。
【００１４】
主搬送部分４は、図１１に示したように、合流搬送部分２に対して着脱できるようにしてあり、装着の際には、主搬送部分４に設けた案内片５９Ｂを合流搬送部分２の案内片２Ｂの部分に入れ込ませるとともに、主搬送部分４の両端の底面側を合流搬送部分２から張り出した受止具２ａ・２ｂで保持するとともに、主搬送部分４の上面側から張り出した掛止具４７の穴４７Ａに、合流搬送部分２の上面側に設けた突起３０を入れ込んで保持させている。
【００１５】
副搬送部分Ｃから入れ込まれた薄片１００に対する合流搬送部分２での搬送構成は、薄片１００を曲面を対向させた案内片２３Ａ１・２３Ａ２で案内するとともに、下流側の案内片２３Ａ１の途中部分に配置したローラ２５Ａを薄片１００の片面に接しながら搬送して下流側の主搬送部分４に入れ込んでいる。この搬送構成は反対側の副搬送部分Ｃに対しても同様に対象形に配置してある。
【００１６】
上流側の主搬送部分４から送り込まれた薄片１００に対する合流搬送部分２での搬送構成は、平面を対向させた案内片２３Ｂ１・２３Ｂ２で案内するとともに、対向して接するように配置した２つのローラ（この発明において、対向ローラという）２４Ａ・２４Ｂで薄片１００の両面を挟みながら搬送して下流側の主搬送部分４に入れ込むようにしている。そして、合流搬送部分２は、所要の部分、例えば、案内片２３Ａ１・２３Ａ２、案内片２３Ｂ１・２３Ｂ２など部分を残して、適宜の保護覆２Ａで囲んである。
【００１７】
合流搬送部分２の機構部分を保持する部分は、図１３のように、上下に配置した各保持板２ｚを適宜の箇所に配置した支柱（図示せず）で固定した枠体２ｙで構成してあって、上記の各案内片は、上下に対称に形成したものを保持板２ｚに固定するか、または、保持板２ｚと一体に形成してあり、また、各ローラの軸は保持板２ｚに配置した軸受（図示せず）によって保持してある。
【００１８】
なお、各ローラの軸は、各ローラの符号における末尾の英文字を小文字に変更した符号の軸になっている。また、図１３において、歯車２７〜２７Ｃ・２８Ａ・２８Ｂの部分も、歯車２９〜２９Ｄと同様に合流搬送部分２の各ローラの軸を駆動するための伝導機構部分である。そして、各ベルトは所要の幅をもつ平ベルトで構成してある。
【００１９】
持ち運びの都合などで、副搬送路Ｓと交差する方向に折り畳まれた薄片１００を引き伸ばして、副搬送路Ｓに入れ込まれると、元の折り畳み箇所で折り重なり合うなどにより、搬送が閉塞されてしまう事故を避けるために、ローラ２５Ａの部分を、図１４のように、突起部分αを設けた突起付きローラにして構成するとともに、上流側の案内片２３Ａ２に、薄片１００を搬送方向に沿った案内溝部分γを設ける構成が周知である。
【００２０】
また、対向ローラ２４Ａ・２４Ｂの一方のローラ２４Ａと、対向ローラ７１Ａ・７１Ｂの一方のローラ７１Ａとを、図１５のように、上下に間隔を空けて環状の突起部分βを設けた環状突起付きローラにして構成することも周知である。なお、上記の突起部分α・突起部分βは、いずれも、ウレタンゴムなどの摩擦係数の大きい材質で形成してある。
【００２１】
ところで、上記の図１０〜図１５の構成（以下、第１従来技術という）では、パチンコ台島装置５００の幅Ｗが異なった場合、例えば、パチンコ台Ｂの背面側に設けたパチンコ台に付随する動作機構部分（図示せず）の奥行きが異なることによって幅Ｗが変わったり、または、パチンコ店の室内通路などの都合などによって幅Ｗが変わったりした場合には、副搬送部分Ｃの搬送路の長さを変更して製造しなければならない。
【００２２】
このため、図１６のように、各副搬送部分Ｃと各合流搬送部分２との間に薄片１００を案内して橋渡しをするための案内導管８を別体にして設けておき、案内導管８の長さＬ５によって幅Ｗを対応させるとともに、案内導管８から薄片１００が合流搬送部分２に入れ込まれる部分に、対向ローラ７１Ａ・７１Ｂを配置して積極的に取り込むようにした構成（以下、第２従来技術という）が周知である。
【００２３】
そして、対向ローラ７１Ａ・７１Ｂのうちの一方のローラ７１Ａの軸７１ａを駆動モータ２６と連動する連動機構（図示せず）によって駆動するとともに、他方のローラ７１Ｂをばね７３で押して、ローラ７１Ｂをローラ７１Ａに押し付けるようにしている。
【００２４】
上記の第１従来技術・第２従来技術の構成では、合流搬送部分２の位置を前側の副搬送部分Ｃと後側の副搬送部分Ｃとにおる各副搬送路Ｓに対応した位置に一致させるような配置に構成してあるが、パチンコ台島装置５００のパチンコ台Ｂの幅や配置条件などによって、前側の副搬送路Ｓの位置と、後側の副搬送路Ｓの位置と種々変化するので、この変化に対応させて、合流搬送部分２の構造を変更する必要がある。
【００２５】
このため、図１７のように、前側の副搬送路Ｓと後側の副搬送路Ｓとの主搬送路Ｍの方向の距離Ｌｘを変化させ得るようにした構成（以下、第３従来技術という）が周知である。
【００２６】
図１７において、前側の合流案内体２３Ｆと後側の合流案内体２３Ｒとは、対称形に形成するとともに、別体に構成してあって、それぞれ、主搬送路Ｍに沿って移動させた箇所で固定できるようにしてあるので、この移動によって、前側の副搬送路Ｓと後側の副搬送路Ｓとの位置ずれ量Ｌｘの変化に対応できるようになっている。
【００２７】
前側の合流案内体２３Ｆは、副搬送部分Ｃから合流搬送箇所に入れ込まれる薄片１００を案内する案内片２３Ａ１・２３Ａ２と、上流側の案内片２３Ａ２に連続して後記の中央案内体２３Ｚの前側に沿った平面部分をもつ案内片２３Ｃ１と、下流側の案内片２３Ａ１に連続して主搬送路Ｍの前側に沿った平面部分をもつ案内片２３Ｄ１とをフレーム４１Ｂ１に連続させて設けてある。また、後側の合流案内体２３Ｒは、上記の前側の合流案内体２３Ｆの各案内片を対称形に形成したものをフレーム４１Ｂ２に連続させて設けてある。
【００２８】
フレーム４１Ｂ１・４１Ｂ２は、それぞれ、案内突起２３Ｆ１・２３Ｒ１とこれに入れ込まれる案内溝（図示せず）とにより、主搬送路Ｍに沿って移動した位置で、固定用ねじ（図示せず）などにより、基板４１Ａに固定できるようにしてある。
【００２９】
中央案内体２３Ｚは、主搬送路Ｍの対向ベルト搬送機構４５Ａ・４５Ｂから合流搬送箇所に入れ込まれる薄片１００の両面を案内する平面部分をもつ２つの案内片２３Ｅ１・２３Ｅ２を設けたものであり、前側の合流案内体２３Ｆと後側の合流案内体２３Ｒとの間に配置して、基板４１Ａに固定用ねじ（図示せず）で固定してある。
【００３０】
したがって、合流案内体２３Ｆ・２３Ｒと中央案内体２３Ｚとが、上記の第１従来技術・第２従来技術における合流搬送部分２に相当しているが、実質的には、主搬送路Ｍの箇所と合流搬送の箇所とが基板４１Ａの上に組み付けられた構成になっている。
【００３１】
【発明が解決しようとする課題】
上記の第３従来技術の構成によれば、前側の副搬送路Ｓと後側の副搬送路Ｓとの位置ずれの変化に対応できるが、上記の第１従来技術・第２従来技術のように、合流搬送部分２と主搬送部分４とのように分割したブック状にユニット化した構成になっていないので、副搬送部分Ｃ間の距離Ｌ１の変化に対しては、基板４１Ａの長さを変更して製造しなければならない。
【００３２】
また、前側の合流案内体２３Ｆまたは後側の合流案内体２３Ｒを上流側の移動限度程度の位置にずらせた場合に、前側の合流案内体２３Ｆまたは後側の合流案内体２３Ｒと中央案内体２３Ｚとの間の箇所には、薄片１００の搬送構成が無いので、上記のような薄片１００を引き伸ばして入れ込んだ場合には、元の折り畳み箇所で折り重なって、搬送を閉塞してしまう。
【００３３】
さらに、合流箇所に薄片ローラ２５Ａは前側の合流案内体２３Ｆまたは後側の合流案内体２３Ｒの移動と一緒に移動させなければならないので、ローラ２５Ａを駆動する伝導機構（図示せず）を歯車間の距離を変更し得るようにした複雑な歯車機構で構成したり、ベルト掛け伝導機構のベルトをその移動位置に対応した長さのものに交換したりしなければならない。
【００３４】
この構成に、図１４のような対向ローラ７１Ａ・７１Ｂを配置した場合には、対向ローラ７１Ａ・７１Ｂも同様に移動させるので、その伝導機構（図示せず）も同様に複雑に構成にしなければならないなどの理由で、装置を簡便安価な構成に提供し得ないという不都合がある。
このため、こうした不都合のない薄片搬送装置ならびにその利用装置、例えば、パチンコ台島装置の提供が望まれているという課題がある。
【００３５】
【課題を解決するための手段】
この発明は、上記のような
複数の副搬送路から入れ込まれる薄片を主搬送路に合流させて搬送する合流搬送部分と、上記の合流搬送部分から入れ込まれる上記の薄片を上記の主搬送路に沿って搬送する主搬送部分とを有する薄片搬送装置において、
【００３６】
上流側の上記の主搬送部分から上記の合流搬送部分に入れ込まれた上記の薄片を上記の主搬送路の方向に沿って下流側の上記の主搬送部分に搬送する第１の搬送部分を上記の合流搬送部分に配置する第１の搬送部分配置手段と、
【００３７】
上記の副搬送路から上記の合流搬送部分に入れ込まれた上記の薄片を上記の第１の搬送部分と平行して搬送する第２の搬送部分を上記の合流搬送部分に配置する第２の搬送部分配置手段と、
【００３８】
上記の薄片を上記の第２の搬送部分の末端から上記の下流側の主搬送部分に搬送する第３の搬送部分を上記の合流搬送部分に配置する第３の搬送部分配置手段と、上記の第２の搬送部分に対する上記の副搬送路の位置を上記の第２の搬送部分の範囲内で移動することにより、上記の副搬送路の位置の変化に対応させる副搬送路位置対応手段とを設け、
【００３９】
この構成において、上記の第１の搬送部分を、上記の薄片の両面を案内するための上記の主搬送路の方向に延びる対向する平面をもつ第１の案内面と、上記の第１の案内面の途中に配置されて上記の薄片の両面を挟みながら搬送する対向ローラとで構成し、上記の第２の搬送部分を、上記の主搬送路と平行に掛け渡した無端ベルトにおける上記の副搬送路側のベルト外面を上記の下流側に向けて走行させると共に、当該ベルト外面と対向する箇所を当該ベルト外面と平行な第２の案内面をもつ覆板で覆って構成し、上記の第３の搬送部分を、上記の薄片の両面を案内するための対向する曲面をもつ第３の案内面と、上記の第３の案内面の途中箇所に配置されて上記の薄片の片面側に接して回転する突起付きローラとで構成し、上記の副搬送部分から上記の第２の搬送部分に上記の薄片を取り込む取込位置に上記の薄片の両面を挟みながら搬送する第２の対向ローラを配置し、上記の取込位置において上記の第２の対向ローラを保持する枠体を、上記の合流搬送部分の機構部分を保持している保持板とは別体に構成しておき、当該保持板への上記の枠体の取付位置を、当該保持板の上記の副搬送路側の縁に沿って上記の第２の搬送部分の範囲内で移動可能とするように、上記の副搬送路位置対応手段を構成した第１の構成と、
【００４０】
上記の第１の構成において、上記の第２の対向ローラの一方を、上記の合流搬送部分に配置した凸字状ベルト掛け機構の突出点側のプーリによって駆動するとともに、上記の突出点側のプーリの位置を上記の第２の搬送部分と平行に移動することにより、上記の副搬送路の位置の変化に対応させるように構成した第２の構成と、上記の第１または第２の構成において、上記の第１の対向ローラの一方を、上記の無端ベルトにおける上記の第１の搬送部分側を走行している戻り側ベルト部分で駆動するように構成した第３の構成と、パチンコ台島装置において、上記の第１の構成〜第３の構成を設ける第４の構成とにより上記の課題を解決したものである。
【００４１】
【発明の実施の形態】
この発明の実施の形態として、上記の第１従来技術・第２従来技術の構成に、この発明を適用した実施例を説明する。
【００４２】
【実施例】
〔第１実施例〕
以下、図１・図２により第１実施例を説明する。なお、この第１実施例は副搬送部分Ｃの位置ずれに対応して移動できる部分を、合流搬送部分２の前側の副搬送路Ｓに対応する部分のみとした実施例なので、後側の副搬送部分Ｃから入れ込まれる薄片１００に対する合流のための搬送構成は、すなわち、対向ローラ７１Ａ・７１Ｂ、案内片２３Ａ１・２３Ａ２、ローラ２５Ａなどの部分は図１６と同様の構成になっている。そして、その他の部分が上記の第１従来技術・第２従来技術の構成と異なる箇所は、図１のように、次の箇所になっている。
【００４３】
第１には、案内片２３Ｂ１・２３Ｂ２に相当する部分を、前側の副搬送路Ｓと後側の副搬送路Ｓの位置のずれ量Ｌｘの最大値を、例えば、薄片１００の搬送方向の長さＬｓ（図示せず）程度とした場合には、案内片２３Ｂ１・２３Ｂ２の長さを長さＬｓよりも長い長さ、例えば、Ｌｓ×１．５程度にするとともに、案内片２３Ｂ１・２３Ｂ２の途中箇所に複数組、例えば、２組の対向ローラ２４Ａ・２４Ｂを薄片１００の長さよりも短い間隔で配置した箇所である。そして、この部分は、上流側の主搬送部分４から入れ込まれた薄片１００を下流側の主搬送部分４に搬送する第１の搬送部分を構成していることになる。
【００４４】
第２には、前側の副搬送部分Ｃから入れ込まれた薄片１００に対する合流用の案内片２３Ａ１・２３Ａ２のうちの上流側の案内片２３Ａ２を途中箇所までの長さに短くした案内片２３Ａ３に変更するとともに、主搬送路Ｍと平行した補助搬送部分８０を配置した箇所である。
【００４５】
第３には、補助搬送部分８０を、主搬送路Ｍの方向に配置した駆動側のプーリ８１と従動側のプーリ８２とに掛け渡した無端状のベルト８３の副搬送路Ｓ側のベルト外面８３Ａを下流側に向けて走行するように構成するとともに、ベルト外面８３Ａに対向する箇所を薄片１００を案内するためのベルト外面８３Ａと平行した案内面８３Ｂをもつ覆板８４で覆って構成した箇所である。
【００４６】
そして、この補助搬送部分８０は、副搬送部分Ｃから入れ込まれた薄片１００の一方の片面側を送行するベルト８３と、他方の片面を案内する案内面８３Ｂとによって、薄片１００を主搬送路Ｍと平行した方向に搬送する第２の搬送部分を構成していることになる。
【００４７】
第４には、案内片２３Ａ１・２３Ａ３と、突起付きのローラ２５Ａとによって、補助搬送部分８０から入れ込まれた薄片１００を下流側の主搬送部分４に搬送するように構成した箇所である。そして、この部分は第３の搬送部分を構成していることになる。
【００４８】
第５には、前側の副搬送部分Ｃから薄片１００を取り込む対向ローラ７１Ａ・７１Ｂの部分を保持する枠体８５を合流搬送部分２の保持板２ｚとは別体にして構成しておき、枠体８５を保持板２ｚの前面側に沿って、補助搬送部分８０の範囲内で移動させた位置で固定するように構成した箇所である。
【００４９】
この部分は、補助搬送部分８０の範囲内で、前側の副搬送部分Ｃを移動できるので、前側の副搬送路Ｓと後側の副搬送路Ｓとの位置ずれ量Ｌｘの変化に対応させて、前側の副搬送路Ｓの位置の変化に対応させるように構成されていることになる。
【００５０】
つまり、この第１実施例の構成は、概括的には、第１には、
複数の副搬送路Ｓから入れ込まれる薄片１００（例えば、紙幣）を主搬送路Ｍに合流させて搬送する合流搬送部分２と、上記の合流搬送部分２から入れ込まれる上記の薄片１００を上記の主搬送路Ｍに沿って搬送する主搬送部分４とを有する薄片搬送装置３００において、
【００５１】
上流側の上記の主搬送部分４から上記の合流搬送部分２に入れ込まれた上記の薄片１００を上記の主搬送路Ｍの方向に沿って下流側の主搬送部分４に搬送する第１の搬送部分（例えば、案内片２３Ｂ１・２３Ｂ２と対向ローラ２４Ａ・２４Ｂとによる搬送部分）を上記の合流搬送部分２に配置する第１の搬送部分配置手段と、
【００５２】
上記の副搬送部分Ｃから上記の合流搬送部分２に入れ込まれた上記の薄片１００を上記の第１の搬送部分と平行して搬送する第２の搬送部分（例えば、上記の薄片１００の片面側を走行するベルト８３）と、薄片１００の他の片面側を案内する第２の案内面（例えば、案内面８３Ｂ）とによる補助搬送部分８０を上記の合流搬送部分２に配置する第２の搬送部分置手段と、
【００５３】
上記の薄片１００を上記の第２の搬送部分の末端から上記の下流側の主搬送部分４に搬送する第３の搬送部分（例えば、案内片２３Ａ１・２３Ａ３と、突起付きのローラ２５Ａとによる搬送部分）を上記の合流搬送部分２に配置する第３の搬送部分配置手段と、
【００５４】
（例えば、枠体８５を補助搬送部分８０の範囲内で移動して、）上記の第２の搬送部分に対する上記の副搬送部分Ｃの位置を上記の第２の搬送部分の範囲内で移動することにより、上記の副搬送路Ｓの位置の変化に対応させる副搬送路位置対応手段と
を設けた上記の第１の構成を構成しているものである。
【００５５】
また、第２には、上記の第１の構成において、
上記の第１の搬送部分を、上記の薄片１００の両面を案内するための対向する平面をもつ第１の案内面（例えば、案内片２３Ｂ１・２３Ｂ２）と、上記の第１の案内面の途中に配置されて上記の薄片の両面を挟みながら搬送する対向ローラ２４Ａ・２４Ｂとで構成し、
【００５６】
上記の第２の搬送部分を、上記の薄片１００の片面側を走行するベルト８３と、薄片１００の他の片面側を案内する第２の案内面（例えば、案内面８３Ｂ）とで構成し、
【００５７】
上記の第３の搬送部分を、上記の薄片１００の両面を案内するための対向する曲面をもつ第３の案内面（例えば、案内片２３Ａ１・２３Ａ３）と、上記の第３の案内面の途中箇所に配置されて上記の薄片１００の片面側に接して回転する突起付きのローラ２５Ａとで構成した上記の第２の構成を構成しているものである。
【００５８】
そして、具体的には、副搬送路Ｓの位置の変化に対応できる範囲は、図１のように、補助搬送部分８０の上流側の始端に近い位置の箇所から、図２のように、補助搬送部分８０の下流側の終端に近い箇所、すなわち、前側の副搬送路Ｓと後側の副搬送路Ｓが一致して、位置ずれ量ＬｘがＬｘ＝０になるまでの範囲で、その範囲内の任意の位置で対応させることができる。
【００５９】
図１のように、位置ずれ量Ｌｘが大きい位置で、副搬送部分Ｃから補助搬送部分８０に入れ込まれた薄片１００は、薄片１００の片面をベルト８３で引き伸ばすように搬送するので、折り畳んだ薄片１００を引き伸ばして入れ込んだような場合でも、それを更に引き伸ばすようにして搬送するため、搬送の行き詰まり、すなわち、搬送の閉塞を起こさせないように動作する。
【００６０】
また、図１の構成では、補助搬送部分８０のベルト８３の戻り側を対向ローラ２４Ａ・２４Ｂの一方のローラ２４Ａに掛けて、対向ローラ２４Ａ・２４Ｂを駆動することにより、対応ローラ２４Ａ・２４Ｂの駆動構成を簡便化している。
【００６１】
さらに、他方のローラ２４Ｂの軸２４ｂを板ばね２４Ｃで弾力的に押えることにより、ローラ２４Ｂをローラ２４Ａに強制的に接触させて、薄片１００の搬送力を向上させている。
【００６２】
枠体８５の固定は、例えば、枠体８５から保持板２ｚの前縁に沿って張り出した張出部分８５Ａ・８５Ｂを保持板２ｚにねじ８５ａで固定しており、残りの空いた箇所に覆板８４を同様に固定している。
【００６３】
対向ローラ７１Ａ・７１Ｂの駆動は、他のローラやプーリと、同様に、例えば、保持板２ｚの下側に配置した歯車機構（図示せず）を介して駆動電動機（図示せず）により駆動している。また、後側の対向ローラ７１Ａ・７１Ｂを配置した枠体８５Ｃは、前側の枠体８５と対称形に構成したものを所定の固定位置にねじ８５ａで固定している。
【００６４】
〔第２実施例〕
以下、図３〜図６により第２実施例を説明する。この第２実施例の構成が上記の第１実施例の構成と異なる箇所は次の箇所である。
【００６５】
第１には、前側の対向ローラ７１Ａ・７１Ｂの一方のローラ７１Ａを駆動する部分を、図３〜図５のように、無端状のベルト８７を凸字状の軌道で送行させるように、対向して配置した２つのプーリ８６Ａ・８６Ｂと、この対向から外れた突出点側に配置したプーリ８６Ｃと、プーリ８６Ｃの両脇に配置されてベルト８７の外面を案内する２つのプーリ８６Ｄ・８６Ｅとを設けたベルト掛け構成（この発明において、凸字状ベルト掛け機構という）の突出点側のプーリ８６Ｃによって駆動するように構成した箇所である。なお、プーリ８６Ｄ・８６Ｅを適宜のローラに変更して同様に構成できることは言うまでもない。
【００６６】
第２には、突出点側のプーリ８６Ｃの位置を補助搬送部分８０と平行に移動することにより、前側の副搬送路Ｓと後側の副搬送路Ｓとの位置ずれ量Ｌｘの変化に対応させて、前側の副搬送路Ｓの位置の変化に対応させるように構成した箇所である。
【００６７】
つまり、この第２実施例の構成は、概括的には、
上記の第１の構成において、
上記の副搬送部分Ｃから上記の第２の搬送部分２に上記の薄片１００（例えば、紙幣）を取り込む位置に上記の薄片１００の両面を挟みながら搬送する対向ローラ７１Ａ・７１Ｂを配置し、
【００６８】
上記の対向ローラ７１Ａ・７１Ｂの一方（例えば、ローラ７１Ａ）を、上記の合流搬送部分２に配置した上記の凸字状ベルト掛け機構（例えば、ベルト８７・プーリ８６Ａ〜８６Ｅ）の突出点側のプーリ８６Ｃによって駆動するとともに、上記の突出点側のプーリ８６Ｃの位置を上記の第２の搬送部分（例えば、補助搬送部分８０）と平行に移動することにより、上記の副搬送路Ｓの位置の変化に対応させるように構成した上記の第３の構成を構成しているものである。
【００６９】
そして、具体的には、図１の状態での底面側の配置が図３の状態、また、図２の状態での底面側の配置が図４の状態になるように構成してあり、突出点側のプーリ８６Ｃと、その両側に配置したプーリ８６Ｄ・８６Ｅとの各軸の軸受（図示せず）を枠体８５の上下の保持板８５ｚに設けて、プーリ８６Ｃ〜８６Ｅを一体に保持してある。
【００７０】
したがって、枠体８５を上流側または下流側に移動させてプーリ８６Ｃを移動しても、凸字状に形成されたベルト８７の全長は変わらないので、ベルト８７やプーリ８６Ａ〜８６Ｅを変更することなく、プーリ８６Ｃの位置を移動できるため、ローラ７１Ａ・７１Ｂの位置を副搬送路Ｓの位置ずれ量Ｌｘに対応させて移動しても、ローラ７１Ａ・７１Ｂを常に同一速度で所定方向に回転することができる。
【００７１】
また、合流搬送部分２における各伝導機構は、図５のように配置してあり、各歯車による伝導部分は、図３〜図６のように、上方の保持板２ｚの上面側と、下方の保持板２ｚの底面側とに配置してある。なお、図３〜図６の構成は必要最小限の伝導機構を設けた場合を示しており、必要に応じて、他の軸にも伝導機構を設けて構成してもよいことは言うまでもない。
【００７２】
〔第３実施例〕
以下、第３実施例を説明する。この第３実施例は、上記の第１実施例・第２実例の構成における前側と後側との構成を対称形に逆向きに構成にして、後側の部分が副搬送路Ｓの位置ずれ量に対応できるようにした合流搬送部分２を作り、これと第１実施例・第２実例の構成による合流搬送部分２とを交互に配置することにより、前側の副搬送路Ｓの位置ずれ量と後側の副搬送路Ｓの位置ずれ量との両方に対応できるように構成したものである。
【００７３】
つまり、図１の副搬送部分８０とこれに付属する部分を逆向きにして後側に配置するとともに、図１の枠体８５Ｃとこれに付属する部分を逆向きにして前側に配置した合流搬送部分２を作り、これを第１実施例・第２実例の構成による合流搬送部分２、つまり、図１の合流搬送部分とを、主搬送部分４の間に交互に配置するようにしたものである。
そして、この第３実施例の構成は、概括的には、第１実施例・第２実施例と同様に、上記の第１の構成〜第３の構成を構成していることになるものである。
【００７４】
〔第４実施例〕
以下、第４実施例を説明する。この第４実施例は、上記の第１実施例〜第３実施例による薄片搬送装置３００を、図８・図１１・図１１・図１４と同様に、パチンコ台島装置５００における薄片搬送装置３００として設けた箇所である。
【００７５】
つまり、この第４実施例の構成は、概括的には、
パチンコ台島装置５００において、上記の第１実施例〜第３実施例による第１の構成〜第３の構成を設けた上記の第４の構成を構成していることになるものである。
【００７６】
〔変形実施〕
この発明は次のように変形して実施することを含むものである。
（１）補助搬送部分８００を図７のように変更して構成する。つまり、案内片２３Ａ３に連続して、ベルト８３の外面８３Ａと同一の面に沿わせて上下の保持板２ｚ間にわたる案内面をもつ案内部分８３ｘと、この案内部分８３ｘの上流側の始端部分を袋状に囲った囲い部分８３ｙとを配置する。
【００７７】
そして、上記のと覆板８４との間を空洞状に形成するとともに、囲い部分８３ｙの箇所に、圧搾空気の噴き出し穴８３ｚを配置して、圧搾空気の流れにより薄片１００を搬送する搬送部分を副搬送部分８０として設けるように変更して構成する。この構成は、概括的には、上記の第１の構成を構成していることになるものである。
【００７８】
（２）案内片２３Ａ１・２３Ａ２・２３Ａ３の部分を、図８のように、案内片２３Ａ２・２３Ａ３の下流側の端部に、案内片２３Ｂ１・２３Ｂ２を合流搬送部分２の下流側の端部まで延長させた延長部分２３Ｂ３・２３Ｂ４を設けるとともに、前側の案内片２３Ａ１・ローラ２５Ａと、後側の案内片２３Ａ１とローラ２５Ａとの間を、延長部分２３Ｂ３・２３Ｂ４を設けた分だけ広げて配置するように変更して構成する。
【００７９】
（３）後側の対向ローラ７１Ａ・７１Ｂ・案内片２３Ａ２・枠体８５の部分にも、前側の補助搬送部分８００と同様の補助搬送部分を設けるように変更して構成する。つまり、補助搬送部分８００を逆向きにしたものを後側にも設けるように変更して構成する。この構成、概括的には、上記の第１の構成〜第３の構成を構成していることになるものである。
【００８０】
（４）ベルトとプーリの部分を、歯形付きのベルトとプーリ、すなわち、タイミンクベルトとタイミンク用プーリに変更して構成する。
【００８１】
（５）位置ずれ量Ｌｘの最大値を、薄片１００の搬送方向の長さＬｓ（図示せず）、例えば、紙幣の搬送方向の長さよりも小さい値に変更し、または、それを長さＬｓよりも大きい値に変更して構成する。
【００８２】
（６）ローラ２５Ａまたはローラ２４Ａ・２４Ｂもしくはその両方を他の構造のローラに変更して構成する。
（７）案内導管８を設けない構成の薄片搬送装置３００またはパチンコ台島装置５００に適用して構成する。
【００８３】
【発明の効果】
この発明によれば、副搬送部分から入れ込まれる薄片を補助搬送部分を介した後に、主搬送部分に合流させるので、副搬送路の位置ずれ量に対応する位置変化量を大きくした場合でも、補助搬送部分で薄片が引き伸ばされるため、薄片の折れ目の折り重なりなどによる搬送の閉塞を無くすることができる。
【００８４】
また、補助搬送部分を設けているにもかかわらず、合流搬送部分と主搬送部分とに分割して構成してあるので、主搬送部分の長さを変更するだけで、副搬送路間の間隔の変更に対して対応させることができる。
【００８５】
さらに、副搬送部分からの薄片の取込部分を凸字状ベルト掛け機構の突出点に配置したプーリによって駆動させているので、取込部分を副搬送路の位置ずれ量の変化に対応させて移動した場合でも、取込部分の駆動機構を交換または調整操作する必要がないので、現場での組み付け作業が簡便になり迅速化できるなどの特長が得られる効果がある。
【図面の簡単な説明】
図面中、図１〜図８はこの発明の実施例を、また、図９〜図１７は従来技術を示し、各図の内容は次のとおりである。
【図１】要部構成横断平面図
【図２】要部構成横断平面図
【図３】要部構成底面図
【図４】要部構成底面図
【図５】要部構成内部斜視図
【図６】要部構成平面図
【図７】要部構成横断平面図
【図８】要部構成横断平面図
【図９】全体構成側面・横断平面図
【図１０】要部構成平面図
【図１１】要部構成正面図
【図１２】要部構成横断平面図
【図１３】要部構成内部斜視図
【図１４】要部構成斜視図
【図１５】要部構成体斜視図
【図１６】要部構成横断平面図
【図１７】要部構成横断平面図
【符号の説明】
２  合流搬送部分
２Ａ  保護覆
２Ｂ  案内片
２ａ  受止具
２ｂ  受止具
２ｙ  枠体
２ｚ  保持板
４  主搬送部
４Ａ  保護覆
８  案内導管
２３Ａ１〜２３Ａ３  案内片
２３Ｂ１・２３Ｂ２  案内片
２３Ｃ１  案内片
２３Ｄ１  案内片
２３Ｆ  合流案内体
２３Ｆ１  案内突起
２３Ｒ  合流案内体
２３Ｒ１  案内突起
２３Ｚ  中央案内体
２４Ａ・２４Ｂ  ローラ
２５Ａ  ローラ
２６  駆動モータ
２６ａ  歯車
２７〜２７Ｂ  歯車
２７Ｃ  手動用つまみ
２８Ａ・２８Ｂ  歯車
２９〜２９Ｄ  歯車
３０  突起
４１Ａ  基板
４１Ｂ１・４１Ｂ２  フレーム
４２  ベルト対向部分
４３Ａ・４３Ｂ  プーリ
４４Ａ・４４Ｂ  プーリ
４５Ａ・４５Ｂ  ベルト
４６ａ・４６ｂ  歯車
４７  掛止具
４７Ａ  穴
５９Ａ・５９Ｂ  案内片
７１Ａ・７１Ｂ  ローラ
７３  ばね
８０  補助搬送部分
８１・８２  プーリ
８３  ベルト
８３Ａ  ベルト外面
８３Ｂ  案内面
８４  覆板
８５  枠体
８５Ａ・８５Ｂ  張出部分
８５Ｃ  枠体
８５ａ  ねじ
８５ｚ  保持板
８６Ａ〜８６Ｅ  プーリ
１００  薄片
１１０  収納箱
３００  薄片搬送装置
３００Ａ  主搬送路部分
５００  パチンコ台島装置
Ｂ  パチンコ台
Ｃ  副搬送部分
Ｃ１  案内片
Ｃ２  薄片導出口
Ｃ３  保護覆
Ｃ３ａ・Ｃ３ｂ  ベルト
Ｌ１  距離
Ｌ２・Ｌ３  長さ
Ｌ５  長さ
Ｌｘ  位置ずれ量
Ｍ  主搬送路
Ｓ  副搬送路
Ｗ  幅
α・β  突起部分
γ  案内溝部分
【図１】
0004504546.tif 000002
【図２】
0004504546.tif 000003
【図３】
0004504546.tif 000004
【図４】
0004504546.tif 000005
【図５】
0004504546.tif 000006
【図６】
0004504546.tif 000007
【図７】
0004504546.tif 000008
【図８】
0004504546.tif 000009
【図９】
0004504546.tif 000010
【図１０】
0004504546.tif 000011
【図１１】
0004504546.tif 000012
【図１２】
0004504546.tif 000013
【図１３】
0004504546.tif 000014
【図１４】
0004504546.tif 000015
【図１５】
0004504546.tif 000016
【図１６】
0004504546.tif 000017
【図１７】
0004504546.tif 000018